(57)【要約】    【課題】終端設定の設定間違いに起因したインピーダンスの不整合による動作不良の発生がなく、カメラ付玄関子機にて撮像した映像を当該カメラ付玄関子機に縦接続させたモニタ付親機およびモニタ付増設親機に出画する。    【解決手段】カメラ付玄関子機１にモニタ付親機２およびモニタ付増設親機３ａ、３ｂ、・・・３ｎを縦接続させるにあたり、モニタ付増設親機の終端回路３１ａ、３１ｂ、・・・３１ｎにてカメラ付玄関子機からのＦＭ信号についてインピーダンスの整合を行う。また、インピーダンスの整合が行われたＦＭ信号をＦＭ受信回路３２ａ、３２ｂ、・・・３２ｎにて受信し、ＦＭ復調回路３３ａ、３３ｂ、・・・３３ｎを介してＮＴＳＣ信号に復調してモニタ３５ａ、３５ｂ、・・・３５ｎへと出力するのと同時にＦＭ送信回路３４ａ、３４ｂ、・・・３４ｎから次段のモニタ付増設親機へと送信する。    【選択図】図１
2005159891.tif 000002
【特許請求の範囲】
【請求項１】
玄関に設置されるカメラ付玄関子機（１）に、住戸内に設置されるモニタ付親機（２）およびモニタ付増設親機（３ａ、３ｂ、・・・３ｎ）を縦接続し、
前記カメラ付玄関子機は、カメラ（１０）にて撮像した映像信号をＦＭ変調回路（１１）を介してＦＭ信号にＦＭ変調してＦＭ送信回路（１２）から前記モニタ付親機へと送信し、
前記モニタ付親機は、終端回路（２１）にてインピーダンスの整合を行い、前記カメラ付玄関子機から送信された前記ＦＭ信号をＦＭ受信回路（２２）にて受信し、ＦＭ復調回路（２３）を介して前記ＦＭ信号をＮＴＳＣ信号に復調してモニタ（２５）へと出画させるのと同時にＦＭ送信回路（２４）から前記モニタ付増設親機へと前記ＦＭ信号を送信するインターホン装置であって、
前記モニタ付増設親機は、前記モニタ付親機から送信された前記ＦＭ信号についてインピーダンスの整合を行うための終端回路（３１ａ、３１ｂ、・・・３１ｎ）と、前記モニタ付親機から送信された前記ＦＭ信号を受信するためのＦＭ受信回路（３２ａ、３２ｂ、・・・３２ｎ）と、前記ＦＭ信号をＮＴＳＣ信号に復調してモニタ（３５ａ、３５ｂ、・・・３５ｎ）へと出画させるためのＦＭ復調回路（３３ａ、３３ｂ、・・・３３ｎ）と、次段のモニタ付増設親機へと前記ＦＭ信号を送信するためのＦＭ送信回路（３４ａ、３４ｂ、・・・３４ｎ）とを備えたことを特徴とするインターホン装置。
【請求項２】
玄関に設置されるカメラ付玄関子機（５１）に、住戸内に設置されるモニタ付親機（５２）およびモニタ付増設親機（５３ａ、５３ｂ、・・・５３ｎ）を縦接続し、
前記カメラ付玄関子機は、カメラ（１０）にて撮像した映像信号をＦＭ変調回路（１１）を介してＦＭ信号にＦＭ変調してＦＭ送信回路（１２）から前記モニタ付親機へと送信し、
前記モニタ付親機は、終端回路（２１）にてインピーダンスの整合を行い、前記カメラ付玄関子機から送信された前記ＦＭ信号をＦＭ受信回路（２２）にて受信し、ＦＭ復調回路（２３）を介して前記ＦＭ信号をＮＴＳＣ信号に復調してモニタ（２５）へと出画させるのと同時にＦＭ送信回路（２４）から前記モニタ付増設親機へとＦＭ信号を送信し、
電源回路（２０）から各回路に必要な電源を供給するインターホン装置であって、
前記モニタ付増設親機は、電源回路（６０ａ、６０ｂ、・・・６０ｎ）のオン時に、前記モニタ付親機から送信された前記ＦＭ信号を受信する信号取込接点（Ｐ1）側に切り換えて、前記モニタ付親機から送信された前記ＦＭ信号について終端回路（６３ａ、６３ｂ、・・・６３ｎ）を介してインピーダンスの整合を行い、ＦＭ受信回路（６４ａ、６４ｂ、・・・６４ｎ）を介して前記ＦＭ信号を受信し、ＦＭ復調回路（６５ａ、６５ｂ、・・・６５ｎ）を介して前記ＦＭ信号をＮＴＳＣ信号に復調してモニタ（６７ａ、６７ｂ、・・・６７ｎ）へと出画させるのと同時にＦＭ送信回路（６６ａ、６６ｂ、・・・６６ｎ）から次段のモニタ付増設親機へと前記ＦＭ信号を送信し、前記電源回路から各回路に必要な電源を供給し、前記電源回路のオフ時に、次段のモニタ付増設親機へと前記ＦＭ信号をスルーで送り出す信号スルー接点（Ｐ2）側に切り換えるためのリレー（６１ａ、６１ｂ、・・・６１ｎ、６２ａ、６２ｂ、・・・６２ｎ）を備えたことを特徴とするインターホン装置。
【発明の詳細な説明】
【技術分野】
【０００１】
本発明はインターホン装置に係り、特に、カメラ付玄関子機にて撮像した映像を当該カメラ付玄関子機に縦接続させたモニタ付親機およびモニタ付増設親機に出画することができるインターホン装置に関する。
【背景技術】
【０００２】
従来から、映像の撮像機能および出画機能を有するインターホン装置として、図３のブロック図に示す構成のインターホン装置が提案されている。
【０００３】
図３のブロック図に示すインターホン装置は、玄関に設置されており、カメラ１１０、ＦＭ変調回路１１１、ＦＭ送信回路（以下、子機ＦＭ送信回路という。）１１２が備えられたカメラ付玄関子機１０１と、住戸内に設置され親機ラインＬ101を介してカメラ付玄関子機１０１に接続されており、電源回路（以下、親機電源回路という。）１２０、終端回路１２１、ＦＭ受信回路（以下、親機ＦＭ受信回路という。）１２２、ＦＭ復調回路（以下、親機ＦＭ復調回路という。）１２３、ＦＭ送信回路（以下、親機ＦＭ送信回路という。）１２４、モニタ（以下、親機モニタという。）１２５が備えられたモニタ付親機１０２と、モニタ付親機１０２の設置場所とは異なる住戸内の場所にそれぞれ設置され増設親機ラインＬ102を介してモニタ付親機１０２にバス接続されており、電源回路（以下、増設親機電源回路という。）１３０ａ、１３０ｂ、・・・１３０ｎ、終端設定回路１３１ａ、１３１ｂ、・・・１３１ｎ、ＦＭ受信回路（以下、増設親機ＦＭ受信回路という。）１３２ａ、１３２ｂ、・・・１３２ｎ、ＦＭ復調回路（以下、増設親機ＦＭ復調回路という。）１３３ａ、１３３ｂ、・・・１３３ｎ、モニタ（以下、増設親機モニタという。）１３４ａ、１３４ｂ、・・・１３４ｎが備えられたモニタ付増設親機１０３ａ、１０３ｂ、・・・１０３ｎとから構成されている。
【０００４】
図３のブロック図において、カメラ付玄関子機１０１のカメラ１１０にて撮像した映像であり信号処理された映像信号は、ＦＭ変調回路１１１を介してＦＭ変調されたＦＭ信号として子機ＦＭ送信回路１１２から親機ラインＬ101へと送信される。
【０００５】
モニタ付親機１０２において、当該モニタ付親機の構成各部がオン状態の親機電源回路１２０からの給電により動作状態である場合、終端回路１２１は、親機ラインＬ101を伝送されてきたＦＭ信号についてインピーダンスの整合を行う。親機ＦＭ受信回路１２２は、終端回路１２１にてインピーダンスの整合が行われたＦＭ信号を受信し、このＦＭ信号を親機ＦＭ復調回路１２３へと出力するのと同時に親機ＦＭ送信回路１２４から増設親機ラインＬ102へと送信する。親機ＦＭ復調回路１２３は、親機ＦＭ受信回路１２２からのＦＭ信号をＮＴＳＣ信号に復調して親機モニタ１２５へと出力することにより、カメラ付玄関子機１０１のカメラ１１０にて撮像した映像を親機モニタ１２５に出画させることができる。
【０００６】
また、モニタ付増設親機１０３ａ、１０３ｂ、・・・１０３ｎにおいて、当該モニタ付増設親機の構成各部がオン状態の増設親機電源回路１３０ａ、１３０ｂ、・・・１３０ｎからの給電により動作状態である場合であり、終端設定回路１３１ａ、１３１ｂ、・・・１３１ｎがそれぞれ終端しない設定状態であると、終端設定回路１３１ａ、１３１ｂ、・・・１３１ｎがそれぞれ増設親機ラインＬ102を伝送されてきたＦＭ信号についてインピーダンスの整合を行う。増設親機ＦＭ受信回路１３２ａ、１３２ｂ、・・・１３２ｎは、それぞれ終端設定回路１３１ａ、１３１ｂ、・・・１３１ｎからのＦＭ信号を受信し、このＦＭ信号を増設親機ＦＭ復調回路１３３ａ、１３３ｂ、・・・１３３ｎへと出力する。親機ＦＭ復調回路１３３ａ、１３３ｂ、・・・１３３ｎは、それぞれ親機ＦＭ受信回路１３２ａ、１３２ｂ、・・・１３２ｎからのＦＭ信号をＮＴＳＣ信号に復調して増設親機モニタ１３４ａ、１３４ｂ、・・・１３４ｎへと出力することにより、カメラ付玄関子機１０１のカメラ１００にて撮像した映像を増設親機モニタ１３４ａ、１３４ｂ、・・・１３４ｎにそれぞれ出画させることができる。
【０００７】
なお、従来例のインターホン装置については、記載すべき先行技術の文献情報はない。
【発明の開示】
【発明が解決しようとする課題】
【０００８】
しかしながら、従来例のインターホン装置においては、図３のブロック図に示すように、モニタ付増設親機１０３ａ、１０３ｂ、・・・１０３ｎの終端設定回路１３１ａ、１３１ｂ、・・・１３１ｎにてそれぞれ行われる終端設定の設定間違いに起因したインピーダンスの不整合により動作不良が発生する虞があった。
【０００９】
本発明は、上述の難点を解消するためになされたもので、終端設定の設定間違いに起因したインピーダンスの不整合による動作不良の発生がなく、カメラ付玄関子機にて撮像した映像を当該カメラ付玄関子機に縦接続させたモニタ付親機およびモニタ付増設親機に出画することができるインターホン装置を提供することを目的としている。
【課題を解決するための手段】
【００１０】
上述の目的を達成するため、本発明の第１の態様であるインターホン装置は、玄関に設置されるカメラ付玄関子機に、住戸内に設置されるモニタ付親機およびモニタ付増設親機を縦接続し、カメラ付玄関子機は、カメラにて撮像した映像信号をＦＭ変調回路を介してＦＭ信号にＦＭ変調してＦＭ送信回路からモニタ付親機へと送信し、モニタ付親機は、終端回路にてインピーダンスの整合を行い、カメラ付玄関子機から送信されたＦＭ信号をＦＭ受信回路にて受信し、ＦＭ復調回路を介してＦＭ信号をＮＴＳＣ信号に復調してモニタへと出画させるのと同時にＦＭ送信回路からモニタ付増設親機へとＦＭ信号を送信する当該装置である。モニタ付増設親機は、モニタ付親機から送信されたＦＭ信号についてインピーダンスの整合を行うための終端回路と、モニタ付親機から送信されたＦＭ信号を受信するためのＦＭ受信回路と、ＦＭ信号をＮＴＳＣ信号に復調してモニタへと出画させるためのＦＭ復調回路と、次段のモニタ付増設親機へとＦＭ信号を送信するためのＦＭ送信回路とを備えている。
【００１１】
また、本発明の第２の態様であるインターホン装置は、玄関に設置されるカメラ付玄関子機に、住戸内に設置されるモニタ付親機およびモニタ付増設親機を縦接続し、カメラ付玄関子機は、カメラにて撮像した映像信号をＦＭ変調回路を介してＦＭ信号にＦＭ変調してＦＭ送信回路からモニタ付親機へと送信し、モニタ付親機は、終端回路にてインピーダンスの整合を行い、カメラ付玄関子機から送信されたＦＭ信号をＦＭ受信回路にて受信し、ＦＭ復調回路を介してＦＭ信号をＮＴＳＣ信号に復調してモニタへと出画させるのと同時にＦＭ送信回路からモニタ付増設親機へとＦＭ信号を送信し、電源回路から各回路に必要な電源を供給する当該装置である。モニタ付増設親機は、電源回路のオン時に、モニタ付親機から送信されたＦＭ信号を受信する信号取込接点側に切り換えて、モニタ付親機から送信されたＦＭ信号について終端回路を介してインピーダンスの整合を行い、ＦＭ受信回路を介してＦＭ信号を受信し、ＦＭ復調回路を介してＦＭ信号をＮＴＳＣ信号に復調してモニタへと出画させるのと同時にＦＭ送信回路から次段のモニタ付増設親機へとＦＭ信号を送信し、電源回路から各回路に必要な電源を供給し、電源回路のオフ時に、次段のモニタ付増設親機へとＦＭ信号をスルーで送り出す信号スルー接点側に切り換えるためのリレーを備えている。
【発明の効果】
【００１２】
本発明のインターホン装置によれば、カメラ付玄関子機にて撮像した映像を当該カメラ付玄関子機に縦接続させたモニタ付親機およびモニタ付増設親機に出画するにあたり、それぞれのモニタ付増設親機または電源が給電されている動作状態のモニタ付増設親機にてカメラ付玄関子機からのＦＭ信号を終端させることにより、モニタ付増設親機にてそれぞれ行われるような終端設定が不要となり、終端設定の設定間違いに起因したインピーダンスの不整合による動作不良の発生を抑えられる。
【発明を実施するための最良の形態】
【００１３】
以下、本発明のインターホン装置を適用した最良の実施の形態例について、図面を参照して説明する。
【００１４】
図１は、本発明の第１の実施例によるインターホン装置の構成を示すブロック図である。
【００１５】
図１のブロック図に示すインターホン装置は、玄関に設置されており、映像を撮像するためのカメラ付玄関子機１と、住戸内に設置され親機ラインＬ1を介してカメラ付玄関子機１に接続されており、カメラ付玄関子機１にて撮像した映像を出画するためのモニタ付親機２と、モニタ付親機２の設置場所とは異なる住戸内の場所にそれぞれ設置されモニタ付親機２に増設親機ラインＬ2a、Ｌ2b、・・・Ｌ2nを介して縦接続されており、カメラ付玄関子機１にて撮像した映像を出画するためのモニタ付増設親機３ａ、３ｂ、・・・３ｎとから構成されている。
【００１６】
なお、図１のブロック図において、カメラ付玄関子機１には、上述の映像撮像機能の他に、通常、来訪者による呼出（呼出操作）機能および通話機能が備えられている。また、モニタ付親機２およびモニタ付増設親機３ａ、３ｂ、・・・３ｎについても、上述の映像出画機能の他に、通常、来訪者からの呼出報知機能、居住者による応答（応答操作）機能および通話機能が備えられている（図示および詳述せず）。
【００１７】
カメラ付玄関子機１には、映像を撮像するためのカメラ１０と、カメラ１０にて撮像した映像であり信号処理された映像信号をＦＭ信号へとＦＭ変調するためのＦＭ変調回路１１と、ＦＭ変調回路１１にてＦＭ変調されたＦＭ信号を親機ラインＬ1を介してモニタ付親機２へと送信するためのＦＭ送信回路（以下、子機ＦＭ送信回路という。）１２とが備えられている。
【００１８】
また、モニタ付親機２には、直流電源（ＡＣ１００Ｖ）について整流／平滑し、当該モニタ付親機の構成各部を動作させるのに必要な電源を給電するための電源回路（以下、親機電源回路という。）２０と、親機ラインＬ1を伝送されてくるＦＭ信号についてインピーダンスの整合を行うための終端回路（以下、親機終端回路という。）２１と、親機終端回路２１にてインピーダンスの整合が行われたＦＭ信号を受信するためのＦＭ受信回路（以下、親機ＦＭ受信回路という。）２２と、親機ＦＭ受信回路２２にて受信されたＦＭ信号をＮＴＳＣ信号へと復調するためのＦＭ復調回路（以下、親機ＦＭ復調回路という。）２３と、親機ＦＭ受信回路２２にて受信されたＦＭ信号を増設親機ラインＬ2aを介して最上段のモニタ増設親機３ａへと送信するためのＦＭ送信回路（以下、親機ＦＭ送信回路という。）２４と、親機ＦＭ復調回路２３にて復調されたＮＴＳＣ信号を信号処理し、カメラ付玄関子機１のカメラ１０にて撮像した映像を出画するためのモニタ（以下、親機モニタという。）２５とが備えられている。
【００１９】
さらに、モニタ付増設親機３ａ、３ｂ、・・・３ｎはそれぞれ同様な構成であり、直流電源（ＡＣ１００Ｖ）について整流／平滑し、当該モニタ付増設親機の構成各部を動作させるのに必要な電源を給電するための電源回路（以下、増設親機電源回路という。）３０ａ、３０ｂ、・・・３０ｎと、前段側の当該増設親機ラインを伝送されてくるＦＭ信号についてインピーダンスの整合を行うための終端回路（以下、増設親機終端回路という。）３１ａ、３１ｂ、・・・３１ｎと、増設親機終端回路３１ａ、３１ｂ、・・・３１ｎにてインピーダンスの整合が行われたＦＭ信号を受信するためのＦＭ受信回路（以下、増設親機ＦＭ受信回路という。）３２ａ、３２ｂ、・・・３２ｎと、増設親機ＦＭ受信回路３２ａ、３２ｂ、・・・３２ｎにて受信されたＦＭ信号をＮＴＳＣ信号へと復調するためのＦＭ復調回路（以下、増設親機ＦＭ復調回路という。）３３ａ、３３ｂ、・・・３３ｎと、増設親機ＦＭ受信回路３２ａ、３２ｂ、・・・３２ｎにて受信されたＦＭ信号を次段側の当該増設親機ラインを介して次段の当該モニタ付増設親機へと送信（但し、最下段のモニタ付増設親機３ｎは除く）するためのＦＭ送信回路（以下、増設親機ＦＭ送信回路という。）３４ａ、３４ｂ、・・・３４ｎと、増設親機ＦＭ復調回路３３ａ、３３ｂ、・・・３３ｎにて復調されたＮＴＳＣ信号について信号処理し、カメラ付玄関子機１のカメラ１０にて撮像した映像を出画するためのモニタ（以下、増設親機モニタという。）３５ａ、３５ｂ、・・・３５ｎとが備えられている。
【００２０】
このように構成された本発明の第１の実施例によるインターホン装置において、以下、具体的な動作について説明する。
【００２１】
図１のブロック図において、カメラ付玄関子機１のカメラ１０にて撮像した映像であり信号処理された映像信号は、ＦＭ変調回路１１を介してＦＭ変調されたＦＭ信号として子機ＦＭ送信回路１２から親機ラインＬ1へと送信される。
【００２２】
モニタ付親機２において、当該モニタ付親機の構成各部がオン状態の親機電源回路２０からの給電により動作状態である場合、親機終端回路２１は、親機ラインＬ1を伝送されてきたＦＭ信号についてインピーダンスの整合を行う。親機ＦＭ受信回路２２は、親機終端回路２１にてインピーダンスの整合が行われたＦＭ信号を受信し、このＦＭ信号を親機ＦＭ復調回路２３へと出力するのと同時に親機ＦＭ送信回路２４から増設親機ラインＬ2aへと送信する。親機ＦＭ復調回路２３は、親機ＦＭ受信回路２２からのＦＭ信号をＮＴＳＣ信号に復調して親機モニタ２５へと出力することにより、カメラ付玄関子機１のカメラ１０にて撮像した映像を親機モニタ２５に出画させることができる。
【００２３】
モニタ付増設親機３ａ、３ｂ、・・・３ｎのうち最上段のモニタ付親機３ａにおいて、当該モニタ付増設親機の構成各部がオン状態の増設親機電源回路３０ａからの給電により動作状態である場合、増設親機終端回路３１ａは、増設親機ラインＬ2aを伝送されてきたＦＭ信号についてインピーダンスの整合を行う。増設親機ＦＭ受信回路３２ａは、増設親機終端回路３１ａにてインピーダンスの整合が行われたＦＭ信号を受信し、このＦＭ信号を増設親機ＦＭ復調回路３３ａへと出力するのと同時に増設親機ＦＭ送信回路３４ａから増設親機ラインＬ2bへと送信する。増設親機ＦＭ復調回路３３ａは、増設親機ＦＭ受信回路３２ａからのＦＭ信号をＮＴＳＣ信号に復調して増設親機モニタ３５ａへと出力することにより、カメラ付玄関子機１のカメラ１０にて撮像した映像を増設親機モニタ３５ａに出画させることができる。
【００２４】
また、モニタ付増設親機３ａ、３ｂ、・・・３ｎのうち最上段のモニタ付親機３ａおよび最下段のモニタ付増設親機３ｎを除くモニタ付増設親機３ｂ、・・・において、当該モニタ付増設親機の構成各部がオン状態の増設親機電源回路３０ｂ、・・・からの給電によりそれぞれが動作状態である場合、増設親機終端回路３１ｂ、・・・は、それぞれ前段側の当該増設親機ラインを伝送されてきたＦＭ信号についてインピーダンスの整合を行う。増設親機ＦＭ受信回路３２ｂ、・・・は、ぞれぞれ増設親機終端回路３１ｂ、・・・にてインピーダンスの整合が行われたＦＭ信号を受信し、このＦＭ信号を増設親機ＦＭ復調回路３３ｂ、・・・へと出力するのと同時に増設親機ＦＭ送信回路３４ｂ、・・・から次段側の当該増設親機ラインへと送信する。増設親機ＦＭ復調回路３３ｂ、・・・は、それぞれ増設親機ＦＭ受信回路３２ｂ、・・・からのＦＭ信号をＮＴＳＣ信号に復調して増設親機モニタ３５ｂ、・・・へと出力することにより、カメラ付玄関子機１のカメラ１０にて撮像した映像を増設親機モニタ３５ｂ、・・・にそれぞれ出画させることができる。
【００２５】
さらに、モニタ付増設親機３ａ、３ｂ、・・・３ｎのうち最下段のモニタ付増設親機３ｎにおいて、当該モニタ付増設親機の構成各部がオン状態の増設親機電源回路３０ｎからの給電により動作状態である場合、増設親機終端回路３１ｎは、増設親機ラインＬ2nを伝送されてきたＦＭ信号についてインピーダンスの整合を行う。増設親機ＦＭ受信回路３２ｎは、増設親機終端回路３１ｎにてインピーダンスの整合が行われたＦＭ信号を受信し、このＦＭ信号を増設親機ＦＭ復調回路３３ｎへと出力するのと同時に増設親機ＦＭ送信回路３４ｎへと出力する。増設親機ＦＭ復調回路３３ｎは、増設親機ＦＭ受信回路３２ｎからのＦＭ信号をＮＴＳＣ信号に復調して増設親機モニタ３５ｎへと出力することにより、カメラ付玄関子機１のカメラ１０にて撮像した映像を増設親機モニタ３５ｎに出画させることができる。
【００２６】
なお、最下段のモニタ付増設親機３ｎにおいて、増設親機ＦＭ送信回路３４ｎには、次段側のモニタ付増設親機への増設親機ラインが接続されていないことから、ＦＭ信号が次段側へとは伝送されずモニタ付増設親機３ｎにて終端する。
【００２７】
このとき、終端された親機ラインＬ1および増設親機ラインＬ2a、Ｌ2b、・・・Ｌ2nには、モニタ付親機２の親機ＦＭ送信回路２４およびモニタ付増設親機３ａ、３ｂ、・・・３ｎの増設親機ＦＭ送信回路３４ａ、３４ｂ、・・・３４ｎのうち何れか１つの当該送信回路にのみ接続されることから、モニタ付親機２の親機モニタ２５およびモニタ付増設親機３ａ、３ｂ、・・・３ｎの増設親機モニタ３５ａ、３５ｂ、・・・３５ｎにて出画される映像の品質（画質）が低下することはない。
【００２８】
上述のように、本発明の第１の実施例によるインターホン装置が有する効果、すなわち、カメラ付玄関子機１にて撮像した映像を当該カメラ付玄関子機に縦接続させたモニタ付親機２およびモニタ付増設親機３ａ、３ｂ、・・・３ｎに出画するにあたり、モニタ付増設親機にて行われるような終端設定が不要となり、終端設定の設定間違いに起因したインピーダンスの不整合による動作不良の発生を抑えられたインターホン装置として、図２のブロック図に示す構成のインターホン装置も提案されており、以下、このインターホン装置を本発明の第２の実施例によるインターホン装置として説明する。
【００２９】
図２のブロック図に示すインターホン装置は、玄関に設置されており、映像を撮像するためのカメラ付玄関子機５１と、住戸内に設置され親機ラインＬ51を介してカメラ付玄関子機５１に接続されており、カメラ付玄関子機５１にて撮像した映像を出画するためのモニタ付親機５２と、モニタ付親機５２の設置場所とは異なる住戸内の場所にそれぞれ設置されモニタ付親機５２に増設親機ラインＬ52a、Ｌ52b、・・・Ｌ52nを介して縦接続されており、カメラ付玄関子機５１にて撮像した映像を出画するためのモニタ付増設親機５３ａ、５３ｂ、・・・５３ｎとから構成されている。
【００３０】
なお、図２のブロック図において、カメラ付玄関子機５１には、上述の映像撮像機能の他に、通常、来訪者による呼出（呼出操作）機能および通話機能が備えられている。また、モニタ付親機５２およびモニタ付増設親機５３ａ、５３ｂ、・・・５３ｎについても、上述の映像出画機能の他に、通常、来訪者からの呼出報知機能、居住者による応答（応答操作）機能および通話機能が備えられている（図示および詳述せず）。
【００３１】
カメラ付玄関子機５１は、上述のカメラ付玄関子機１の構成と同様であり、カメラ１０、ＦＭ変調回路１１、子機ＦＭ送信回路１２が備えられている。
【００３２】
また、モニタ付親機５２は、上述のモニタ付親機２と同様な構成であり、親機電源回路２０、親機終端回路２１、親機ＦＭ受信回路２２、親機ＦＭ復調回路２３、親機ＦＭ送信回路２４、親機モニタ２５が備えられている。
【００３３】
さらに、モニタ付増設親機５３ａ、５３ｂ、・・・５３ｎはそれぞれ同様な構成であり、直流電源（ＡＣ１００Ｖ）について整流／平滑し、当該モニタ付増設親機の構成各部を動作させるのに必要な電源を給電するための電源回路（以下、増設親機電源回路という。）６０ａ、６０ｂ、・・・６０ｎと、増設親機電源回路６０ａ、６０ｂ、・・・６０ｎからの給電が行われているように当該増設親機電源回路がオン状態（オン時）の場合には、前段側の当該増設親機ラインから伝送されてくるＦＭ信号について後述する終端回路６３ａ、６３ｂ、・・・６３ｎへと伝送させるように信号取込接点Ｐ1がメイクされる、一方、増設親機電源回路６０ａ、６０ｂ、・・・６０ｎからの給電が遮断されるように当該増設親機電源回路がオフ状態（オフ時）の場合には、前段側の当該増設親機ラインを伝送されてくるＦＭ信号についてスルーで次段側の当該増設親機ライン介して次段の当該モニタ付増設親機へと送り出すために信号スルー接点Ｐ2がメイクされるリレー６１ａ、６１ｂ、・・・６１ｎ、６２ａ、６２ｂ、・・・６２ｎ、ここでは、第１のリレー６１ａ、６１ｂ、・・・６１ｎおよび第２のリレー６２ａ、６２ｂ、・・・６２ｎと、第１のリレー６１ａ、６１ｂ、・・・６１ｎの信号取込接点Ｐ1がメイクされている場合に、前段側の当該増設親機ラインを伝送されてくるＦＭ信号についてインピーダンスの整合を行うための終端回路（以下、増設親機終端回路という。）６３ａ、６３ｂ、・・・６３ｎと、増設親機終端回路６３ａ、６３ｂ、・・・６３ｎにてインピーダンスの整合が行われたＦＭ信号を受信するためのＦＭ受信回路（以下、増設親機ＦＭ受信回路という。）６４ａ、６４ｂ、・・・６４ｎと、増設親機ＦＭ受信回路６４ａ、６４ｂ、・・・６４ｎにて受信されたＦＭ信号をＮＴＳＣ信号へと復調するためのＦＭ復調回路（以下、増設親機ＦＭ復調回路という。）６５ａ、６５ｂ、・・・６５ｎと、第２のリレー６２ａ、６２ｂ、・・・６２ｎの信号取込接点Ｐ1がメイクされている場合に、増設親機ＦＭ受信回路６４ａ、６４ｂ、・・・６４ｎにて受信されたＦＭ信号を次段側の当該増設親機ラインを介して次段の当該モニタ付増設親機へと送信（但し、最下段のモニタ付増設親機３ｎは除く）するためのＦＭ送信回路（以下、増設親機ＦＭ送信回路という。）６６ａ、６６ｂ、・・・６６ｎと、増設親機ＦＭ復調回路６５ａ、６５ｂ、・・・６５ｎにて復調されたＮＴＳＣ信号について信号処理し、カメラ付玄関子機５１のカメラ１０にて撮像した映像を出画するためのモニタ（以下、増設親機モニタという。）６７ａ、６７ｂ、・・・６７ｎとが備えられている。
【００３４】
このように構成された本発明の第２の実施例によるインターホン装置において、以下、具体的な動作について説明する。
【００３５】
図２のブロック図において、カメラ付玄関子機５１のカメラ１０にて撮像した映像であり信号処理された映像信号は、ＦＭ変調回路１１を介してＦＭ変調されたＦＭ信号として子機ＦＭ送信回路１２から親機ラインＬ51へと送信される。
【００３６】
モニタ付親機５２において、当該モニタ付親機の構成各部がオン状態の親機電源回路２０からの給電により動作状態である場合、親機終端回路２１は、親機ラインＬ51を伝送されてきたＦＭ信号についてインピーダンスの整合を行う。親機ＦＭ受信回路２２は、親機終端回路２１にてインピーダンスの整合が行われたＦＭ信号を受信し、このＦＭ信号を親機ＦＭ復調回路２３へと出力するのと同時に親機ＦＭ送信回路２４から増設親機ラインＬ52aへと送信する。親機ＦＭ復調回路２３は、親機ＦＭ受信回路２２からのＦＭ信号をＮＴＳＣ信号に復調して親機モニタ２５へと出力することにより、カメラ付玄関子機５１のカメラ１０にて撮像した映像を親機モニタ２５に出画させることができる。
【００３７】
モニタ付増設親機５３ａ、５３ｂ、・・・５３ｎのうち最上段のモニタ付親機５３ａにおいて、当該モニタ付増設親機の構成各部がオン状態の増設親機電源回路６０ａからの給電により動作状態である場合、第１のリレー６１ａおよび第２のリレー６２ａの信号取込接点Ｐ1、信号スルー接点Ｐ2のうち信号取込接点Ｐ1のみがメイクされており、増設親機終端回路６３ａは、増設親機ラインＬ2aから信号取込接点Ｐ1がメイクされた第１のリレー６１ａを伝送されてきたＦＭ信号についてインピーダンスの整合を行う。増設親機ＦＭ受信回路６４ａは、増設親機終端回路６３ａにてインピーダンスの整合が行われたＦＭ信号を受信し、このＦＭ信号を増設親機ＦＭ復調回路６５ａへと出力するのと同時に増設親機ＦＭ送信回路６６ａから信号取込接点Ｐ1がメイクされた第２のリレー６２ａを介して増設親機ラインＬ52bへと送信する。増設親機ＦＭ復調回路６５ａは、増設親機ＦＭ受信回路６４ａからのＦＭ信号をＮＴＳＣ信号に復調して増設親機モニタ６７ａへと出力することにより、カメラ付玄関子機５１のカメラ１０にて撮像した映像を増設親機モニタ６７ａに出画させることができる。
【００３８】
一方、最上段のモニタ付増設親機５３ａの構成各部が増設親機電源回路６０ａからの給電がなく非動作状態である場合、すなわち、増設親機電源回路６０ａがオフ状態の場合、第１のリレー６１ａおよび第２のリレー６２ａの信号取込接点Ｐ1、信号スルー接点Ｐ2のうち信号スルー接点Ｐ2のみがメイクされており、増設親機ラインＬ52aからのＦＭ信号は、信号スルー接点Ｐ2がメイクされた第１のリレー６１ａ、信号スルー接点Ｐ2がメイクされた第２のリレー６２ａを介して増設親機ラインＬ52bへと伝送される。
【００３９】
また、モニタ付増設親機５３ａ、５３ｂ、・・・５３ｎのうち最上段のモニタ付親機５３ａおよび最下段のモニタ付増設親機５３ｎを除くモニタ付増設親機５３ｂ、・・・において、当該モニタ付増設親機の構成各部がオン状態の増設親機電源回路６０ｂ、・・・からの給電によりそれぞれが動作状態である場合、第１のリレー６１ｂ、・・・および第２のリレー６２ｂ、・・・の信号取込接点Ｐ1、信号スルー接点Ｐ2のうち信号取込接点Ｐ1のみがそれぞれメイクされており、増設親機終端回路６３ｂ、・・・は、それぞれ前段側の当該増設親機ラインから信号取込接点Ｐ1がメイクされた第１のリレー６１ｂ、・・・を伝送されてきたＦＭ信号についてインピーダンスの整合を行う。増設親機ＦＭ受信回路６４ｂ、・・・は、それぞれ増設親機終端回路６３ｂ、・・・にてインピーダンスの整合が行われたＦＭ信号を受信し、このＦＭ信号を増設親機ＦＭ復調回路６５ｂ、・・・へと出力するのと同時に増設親機ＦＭ送信回路６６ｂ、・・・から信号取込接点Ｐ1がメイクされた第２のリレー６２ｂ、・・・を介して次段側の当該増設親機ラインへと送信する。増設親機ＦＭ復調回路６５ｂ、・・・は、それぞれ増設親機ＦＭ受信回路６４ｂ、・・・からのＦＭ信号をＮＴＳＣ信号に復調して増設親機モニタ６７ｂ、・・・へと出力することにより、カメラ付玄関子機５１のカメラ１０にて撮像した映像を増設親機モニタ６７ｂ、・・・にそれぞれ出画させることができる。
【００４０】
一方、最上段のモニタ付親機５３ａおよび最下段のモニタ付増設親機５３ｎを除くモニタ付増設親機５３ｂ、・・・の構成各部が増設親機電源回路６０ｂ、・・・からの給電がなくそれぞれが非動作状態である場合、すなわち、増設親機電源回路６０ｂ、・・・がそれぞれオフ状態の場合、第１のリレー６１ｂ、・・・および第２のリレー６２ｂ、・・・の信号取込接点Ｐ1、信号スルー接点Ｐ2のうち信号スルー接点Ｐ2のみがメイクされており、前段側の当該増設親機ラインからのＦＭ信号は、それぞれ信号スルー接点Ｐ2がメイクされた第１のリレー６１ｂ、・・・、信号スルー接点Ｐ2がメイクされた第２のリレー６２ｂ、・・・を介して次段側の当該増設親機ラインへと伝送される。
【００４１】
さらに、モニタ付増設親機５３ａ、５３ｂ、・・・５３ｎのうち最下段のモニタ付増設親機５３ｎにおいて、当該モニタ付増設親機の構成各部がオン状態の増設親機電源回路６０ｎからの給電により動作状態である場合、第１のリレー６１ｎおよび第２のリレー６２ｎの信号取込接点Ｐ1、信号スルー接点Ｐ2のうち信号取込接点Ｐ1のみがメイクされており、増設親機終端回路６３ｎは、増設親機ラインＬ52nから信号取込接点Ｐ1がメイクされた第１のリレー６１ｎを伝送されてきたＦＭ信号についてインピーダンスの整合を行う。増設親機ＦＭ受信回路６４ｎは、増設親機終端回路６３ｎにてインピーダンスの整合が行われたＦＭ信号を受信し、このＦＭ信号を増設親機ＦＭ復調回路６５ｎへと出力するのと同時に増設親機ＦＭ送信回路６６ｎから信号取込接点Ｐ1がメイクされた第２のリレー６２ｎへと送信する。増設親機ＦＭ復調回路６５ｎは、増設親機ＦＭ受信回路６４ｎからのＦＭ信号をＮＴＳＣ信号に復調して増設親機モニタ６７ｎへと出力することにより、カメラ付玄関子機５１のカメラ１０にて撮像した映像を増設親機モニタ６７ｎに出画させることができる。
【００４２】
一方、最下段のモニタ付増設親機５３ｎの構成各部が増設親機電源回路６０ｎからの給電がなく非動作状態である場合、すなわち、増設親機電源回路６０ｎがオフ状態の場合、第１のリレー６１ｎおよび第２のリレー６２ｎの信号取込接点Ｐ1、信号スルー接点Ｐ2のうち信号スルー接点Ｐ2のみがメイクされており、増設親機ラインＬ52nからのＦＭ信号は、信号スルー接点Ｐ2がメイクされた第１のリレー６１ｎを介して信号スルー接点Ｐ2がメイクされた第２のリレー６２ｎへと伝送される。
【００４３】
なお、最下段のモニタ付増設親機５３ｎにおいて、第２のリレー６２ｎには、信号取込接点Ｐ1、信号スルー接点Ｐ2のうち何れかの接点がメイクされた場合でも次段側のモニタ付増設親機への増設親機ラインが接続されていないことから、ＦＭ信号が次段側へとは伝送されずモニタ付増設親機５３ｎにて終端する。
【００４４】
このとき、終端された親機ラインＬ51および増設親機ラインＬ52a、Ｌ52b、・・・Ｌ52nには、モニタ付親機５２の親機ＦＭ送信回路２４およびモニタ付増設親機５３ａ、５３ｂ、・・・５３ｎの増設親機ＦＭ送信回路６６ａ、６６ｂ、・・・６６ｎのうち何れか１つの当該送信回路にのみ接続されることから、モニタ付親機５２の親機モニタ２５およびモニタ付増設親機５３ａ、５３ｂ、・・・５３ｎの増設親機モニタ６７ａ、６７ｂ、・・・６７ｎにて出画される映像の品質（画質）が低下することはない。
【図面の簡単な説明】
【００４５】
【図１】本発明の第１の実施例によるインターホン装置の構成を示すブロック図。
【図２】本発明の第２の実施例によるインターホン装置の構成を示すブロック図。
【図３】従来例のインターホン装置の構成を示すブロック図。
【符号の説明】
【００４６】
１、５１……カメラ付玄関子機
１０……カメラ
１１……ＦＭ変調回路
１２……子機ＦＭ送信回路（ＦＭ送信回路）
２……モニタ付親機
２１……親機終端回路（終端回路）
２２……親機ＦＭ受信回路（ＦＭ受信回路）
２３……親機ＦＭ復調回路（ＦＭ復調回路）
２４……親機ＦＭ送信回路（ＦＭ送信回路）
２５……親機モニタ（モニタ）
３ａ、３ｂ、・・・３ｎ……モニタ付増設親機
３１ａ、３１ｂ、・・・３１ｎ……増設親機終端回路（終端回路）
３２ａ、３２ｂ、・・・３２ｎ……増設親機ＦＭ受信回路（ＦＭ受信回路）
３３ａ、３３ｂ、・・・３３ｎ……増設親機ＦＭ復調回路（ＦＭ復調回路）
３４ａ、３４ｂ、・・・３４ｎ……増設親機ＦＭ送信回路（ＦＭ送信回路）
３５ａ、３５ｂ、・・・３５ｎ……増設親機モニタ（モニタ）
５２……モニタ付親機
２０……親機電源回路（電源回路）
２１……親機終端回路（終端回路）
２２……親機ＦＭ受信回路（ＦＭ受信回路）
２３……親機ＦＭ復調回路（ＦＭ復調回路）
２４……親機ＦＭ送信回路（ＦＭ送信回路）
２５……親機モニタ（モニタ）
５３ａ、５３ｂ、・・・５３ｎ……モニタ付増設親機
６０ａ、６０ｂ、・・・６０ｎ……増設親機電源回路（電源回路）
６１ａ、６１ｂ、・・・６１ｎ……第１のリレー（リレー）
Ｐ1……信号取込接点
Ｐ2……信号スルー接点
６２ａ、６２ｂ、・・・６２ｎ……第２のリレー（リレー）
Ｐ1……信号取込接点
Ｐ2……信号スルー接点
６３ａ、６３ｂ、・・・６３ｎ……増設親機終端回路（終端回路）
６４ａ、６４ｂ、・・・６４ｎ……増設親機ＦＭ受信回路（ＦＭ受信回路）
６５ａ、６５ｂ、・・・６５ｎ……増設親機ＦＭ復調回路（ＦＭ復調回路）
６６ａ、６６ｂ、・・・６６ｎ……増設親機ＦＭ送信回路（ＦＭ送信回路）
６７ａ、６７ｂ、・・・６７ｎ……増設親機モニタ（モニタ）
【図１】
2005159891.tif 000003
【図２】
2005159891.tif 000004
【図３】
2005159891.tif 000005